(57)【要約】【課題】上記洗面ミラーの自由端側が回動して使用者の前方を通過することになるため、洗面ミラーの大きさに制約を受け易いという課題があった。【解決手段】サイドミラー６０，８０をメインミラー７０側にスライド可能に支持するとともに、メインミラー７０側を回動軸として回動可能に支持する。従って、サイドミラー６０，８０の背後に備えられた収納棚６５，８５を前方に開放させることができる。また、メインミラー７０とサイドミラー８０を対向させることもできるため、二面鏡、三面鏡として使用することができて便利である。サイドミラー６０，８０をスライドさせて収納棚６５，８５を開放させれば、サイドミラー８０の軌道が使用者に接近しないため邪魔とならない。従って、サイドミラーを大型化することが可能となる。【選択図】  図２
2004357965.tif 000002
【特許請求の範囲】
【請求項１】
ミラーキャビネットと、上記ミラーキャビネットの前面側において幅方向に隣接させて配設される略矩形板状のメインミラーおよびサイドミラーと、上記ミラーキャビネットにおいて前面側が開放するとともに、上記サイドミラーに前面側が覆い隠され閉状態となる収納部とを具備する洗面化粧台において、
上記サイドミラーは、上記メインミラー側にスライド可能、かつ、上記メインミラー側を回動軸として回動可能に上記ミラーキャビネットに支持されることを特徴とする洗面化粧台。
【請求項２】
上記ミラーキャビネットの上下に互いに平行に配設される一対のレールと、
上記レールのそれぞれに対して走査可能に係合するランナーと、
上記ランナーに固定片側を接合しつつ上記サイドミラーに回動片側を接合する回動ヒンジとを具備することを特徴とする請求項１に記載の洗面化粧台。
【請求項３】
上記レールは、上記ランナーの走査方向が上記サイドミラーの幅方向となるスライド部と、
上記ランナーの走査方向が前後または斜め前後方向となるとともに最前方位置にて上記スライド部と接続する引き出し部とを具備し、
上記ランナーが上記引き出し部の最後方位置に係合するとき上記収納部が閉状態となり、上記ランナーが上記スライド部に係合するとき上記サイドミラーは上記メインミラーより前方に移動することを特徴とする請求項２に記載の洗面化粧台。
【請求項４】
上記ランナーは、上記サイドミラーの幅方向に並んで複数配設されるとともに、これらに対応して複数の上記引き出し部が互いに平行に配設されることを特徴とする請求項３に記載の洗面化粧台。
【請求項５】
上記ランナーと上記回動ヒンジの固定片側は、枠状に形成されたフレーム部材を介して接合されることを特徴とする請求項２から請求項４のいずれかに記載の洗面化粧台。
【発明の詳細な説明】
【０００１】
【発明の属する技術分野】
本発明は、洗面化粧台に関し、特に、サイドミラーの背面側に収納棚等の収納部が備えられる洗面化粧台に関する。
【０００２】
【従来の技術】
従来、この種の洗面化粧台として、洗面ミラーの幅方向端部に蝶番を備えたものが知られている（例えば、特許文献１参照。）。
かかる構成によれば、洗面ミラーの幅方向端部の上記蝶番にて上記洗面ミラーを回動開きさせることにより、収納棚の前方側を開放させることが可能となっている。
また、収納棚の開扉機構として、扉が幅方向にスライドする扉装置が知られている。
かかる構成によれば、扉板を幅方向にスライドさせることにより、収納棚の前方側を開放させることが可能となっている。
【特許文献１】
特開２００２−３２０５２１号公報
【０００３】
【発明が解決しようとする課題】
前者の洗面化粧台においては、収納棚の前方側を開放する際に、上記洗面ミラーの自由端側が回動して使用者の前方を通過することになるため、洗面ミラーの大きさに制約を受け易いという課題があった。
【０００４】
後者の扉装置を洗面化粧台に適用すると、扉板に相当する洗面ミラーは常に正面を向いた状態で移動するため、洗面ミラーの角度を変更することができない。従って、前者の洗面化粧台のように、サイドミラーをメインミラー側に向けて、二面鏡または三面鏡として使用することができないという課題があった。
本発明は、上記課題にかんがみてなされたもので、洗面ミラーの大きさにおける設計の自由度を向上させることができるとともに、二面鏡または三面鏡として使用することができる洗面化粧台の提供を目的とする。
【０００５】
【課題を解決するための手段】
上記目的を達成するため、請求項１にかかる発明は、ミラーキャビネットと、上記ミラーキャビネットの前面側において幅方向に隣接させて配設される略矩形板状のメインミラーおよびサイドミラーと、上記ミラーキャビネットにおいて前面側が開放するとともに、上記サイドミラーに前面側から覆い隠され閉状態となる収納部とを具備する洗面化粧台において、
上記サイドミラーは、上記メインミラー側にスライド可能、かつ、上記メインミラー側を回動軸として回動可能に上記ミラーキャビネットに支持されることを特徴とする構成としてある。
【０００６】
上記のように構成した請求項１の発明において、上記ミラーキャビネットの前面側には略矩形板状のメインミラーとサイドミラーが幅方向に隣接させて配設され、上記サイドミラーの背面側には前面側が開放する収納棚等の上記収納部が形成される。すなわち、上記収納部は前面側が開放するものの、上記サイドミラーの背面側に位置するため、前面側が上記サイドミラーに覆われて閉状態となる。
【０００７】
上記サイドミラーが上記メインミラー側にスライドすることにより、上記収納部は閉状態から前方が開放する開状態となる。従って、上記収納部に収納物の出し入れを行うことが可能となるとともに、閉状態においては収納部内部を目隠ししつつ鏡として使用することが可能となる。この開状態から閉状態とするには、上記サイドミラーをスライドさせれば良いため、上記サイドミラーの大きさにおける制限を受け難くなり、設計の自由度を向上させることができる。
【０００８】
さらに、上記サイドミラーは、上記メインミラー側を回動軸として回動可能であるため、上記サイドミラーを上記メインミラー側に所定角度回動させ、上記メインミラーと上記サイドミラーとを二面鏡として使用することも可能となる。ここで、上記メインミラーに隣接される上記サイドミラーは一枚に限られない。すなわち、上記メインミラーの左右両側に上記サイドミラーを配設することも可能である。この場合、上記メインミラーと左右の上記サイドミラーとによって三面鏡として使用することが可能となる。
【０００９】
また、上記サイドミラーを上記ミラーキャビネットに支持する具体的手段として、請求項２にかかる発明は、上記ミラーキャビネットの上下に互いに平行に配設されるレールと、上記レールのそれぞれに対して走査可能に係合するランナーと、上記ランナーに固定片側を接合しつつ上記サイドミラーに回動片側を接合する回動ヒンジとを具備する構成としてある。
【００１０】
上記のように構成した請求項２の発明において、上記ミラーキャビネットの上下には樋状等のレールが互いに平行に配設される。上記レールに上記ランナーは走査可能に係合するため、上記ランナーは上記ミラーキャビネットに対して移動可能となる。上記固定片と上記回動片とからなる上記回動ヒンジは、同固定片側を上記ランナーに接合し、同回動片側を上記サイドミラーに接合する。従って、上記回動片を上記固定片に対して回動させれば、上記ランナーに対して上記サイドミラーは回動する。すなわち、上記サイドミラーを上記ミラーキャビネットに対して回動可能、かつ、スライド可能に支持することが可能となる。
【００１１】
また、請求項３にかかる発明は、上記レールは、上記ランナーの走査方向が上記サイドミラーの幅方向となるスライド部と、上記ランナーの走査方向が前後または斜め前後方向となるとともに最前方位置にて上記スライド部と接続する引き出し部とを具備し、上記ランナーが上記引き出し部の最後方位置に係合するとき上記収納部が閉状態となり、上記ランナーが上記スライド部に係合するとき上記サイドミラーは上記メインミラーより前方に移動する構成としてある。
【００１２】
上記のように構成した請求項３の発明において、上記レールは、上記スライド部と上記引き出し部とで構成される。上記スライド部において、上記ランナーは、上記サイドミラーの幅方向に走査することとなる。一方、上記引き出し部において、上記ランナーは前後または斜め前後方向に走査することとなる。そして、上記引き出し部の前方端部にて、上記スライド部と上記引き出し部とが接続されている。上記収納部が閉状態となるとき、上記ランナーは上記引き出し部の最後方位置に係合する。従って、上記サイドミラーを後方に押し込めば、上記収納部を閉状態とすることができる。反対に、上記ランナーが上記引き出し部の前方端部に接続された上記スライド部に係合するときは、上記サイドミラーも前方に移動して上記メインミラーよりも前方に位置することとなる。
【００１３】
さらに、上記ランナーおよび上記引き出し部の配設個数は一の上記サイドミラーに対して上下一個ずつとは限られない。そこで、請求項４にかかる発明は、上記ランナーは、上記サイドミラーの幅方向に並んで複数配設されるとともに、これらに対応して複数の上記引き出し部が互いに平行に配設される構成としてある。
【００１４】
上記のように構成した請求項４の発明において、複数の上記ランナーが上記サイドミラーの幅方向に並んで配設される。これら複数のランナーに対応して、上記レールには複数の上記引き出し部が互いに平行に配設される。従って、上記サイドミラーは、上記ミラーキャビネットに対して上記サイドミラーの幅方向に並ぶ少なくとも二個以上の上記ランナーにより支持される。すなわち、上記サイドミラーは、上記回動ヒンジが回動しない限りにおいては、幅方向にがたつくことがない。なお、上記ランナーは上記サイドミラーの上下に備えられるため、上記サイドミラーは上下方向にもがたつくことがない。従って、上記サイドミラーを一定の方向に配向させつつスライドさせることが可能となる。ここで、複数の上記引き出し部は、別々の上記スライド部に接続されていてもよいし、同一の上記スライド部に接続されていてもよい。
【００１５】
また、上記回動ヒンジの上記固定片と上記ランナーは直接接合されるものとしてもよいし、別の部材を介して間接的に接合してもよい。そこで、請求項５にかかる発明は、上記ランナーと、上記回動ヒンジの固定片側は、上記サイドミラーと略同形の枠状に形成した一体のフレーム部材を介して接合される構成としてある。
上記のように構成した請求項５の発明において、上記サイドミラーと略同形の枠状に形成された一体のフレーム部材を介して上記ランナーと上記回動ヒンジの固定片側とが間接的に接合される。従って、上記サイドミラーの上下および幅方向に複数配設される上記ランナーは、一体の上記フレーム部材に接合されることとなる。上記ランナーのそれぞれの相対位置が一定となって、上記サイドミラーを安定した状態でスライドさせることが可能となる。
【００１６】
【発明の効果】
以上説明したように、請求項１にかかる発明によれば、メインミラーとサイドミラーとを二面鏡、或いは三面鏡として使用することができるとともに、サイドミラーの大きさにおける設計の自由度を向上させることができる洗面化粧台を提供することができる。
請求項２にかかる発明によれば、サイドミラーをスライド可能に支持させることができる。
請求項３にかかる発明によれば、サイドミラーをメインミラーと干渉させることなく幅方向にスライドさせることができる。
請求項４にかかる発明によれば、サイドミラーがスライドする際の安定性を向上させることができる。
請求項５にかかる発明によれば、サイドミラーがスライドする際の安定性を向上させることができる。
【００１７】
【発明の実施の形態】
（１）サイドミラーの動作：
（２）サイドミラーの取り付け構造：
（３）まとめ：
【００１８】
（１）メインミラーの動作：
図１は、本発明にかかる洗面化粧台を斜めから見て示している。同図において、洗面化粧台１０は大きくベースキャビネット１１とミラーキャビネット３０とにより構成されている。ベースキャビネット１１は底面にて接地し、上面に設置されたカウンターに左右一対の洗面ボウル１２ａ，１２ｂが設けられている。ベースキャビネット１１の前面側には、引き出し１１ａ，１１ｂ，１１ｃ，１１ｄ，１１ｅが備えられ、それぞれに備えられた取っ手を掴んで手前に引くことにより、前方にスライドし収納物の出し入れが可能となっている。また、カウンターにおける洗面ボウル１２ａ，１２ｂの奥方には、水栓１３ａ，１３ｂが備えられ水や湯を供給している。
【００１９】
さらに、水栓１３ａ，１３ｂの奥にはミラーキャビネット３０が鉛直に立設されている。ミラーキャビネット３０の上部前面には、左から順に左サイドミラー６０とメインミラー７０と右サイドミラー８０が鉛直に正立させて保持されている。左サイドミラー６０とメインミラー７０と右サイドミラー８０は矩形板状に形成されており、それぞれ上端面、下端面が水平に配向しつつ、左右の端面は鉛直に配向している。左サイドミラー６０とメインミラー７０および右サイドミラー８０は幅方向に隣接して保持されており、前面側の奥行き方向の位置が全て一致させられているとともに、上端面および下端面の高さが一致させられているため、全体として一体感のある鏡面を形成している。ミラーキャビネット３０の下部には中間棚９０が備えられている。この中間棚９０は、前方に備えられる四枚の引き戸９０ａ，９０ｂ，９０ｃ，９０ｄにより開閉させられる。左サイドミラー６０とメインミラー７０と右サイドミラー８０の上端面はミラーキャビネット３０の天板とほぼ同じ高さとされ、下端面は中間棚９０の上端とほぼ同じ高さとなっている。
【００２０】
図２は、左サイドミラー６０とメインミラー７０および右サイドミラー８０を取り外した状態のミラーキャビネット３０を斜めから見て示している。同図において、左サイドミラー６０とメインミラー７０と右サイドミラー８０のそれぞれの背面側には収納部としての左収納棚６５とメイン収納棚７５および右収納棚８５が形成されている。左収納棚６５とメイン収納棚７５および右収納棚８５は、ミラーキャビネット３０の天板を兼ねる共通の天板３０ａと、共通の底板３０ｂとを備え、この天板３０ａと底板３０ｂは、幅方向、奥行き方向が同じ長さに形成され、左収納棚６５とメイン収納棚７５および右収納棚８５の前方側の端面は全て鉛直方向に配向されている。
【００２１】
このように、左収納棚６５とメイン収納棚７５および右収納棚８５は全て前面側が開放するものの、図１において示すように前方側が左サイドミラー６０とメインミラー７０および右サイドミラー８０によってそれぞれ覆い隠されると閉状態となる。
【００２２】
図３は、右サイドミラー８０と左サイドミラー６０をスライドさせた状態を示している。同図において、右サイドミラー８０は左方向にスライドしており、右サイドミラー８０の右側端面はメインミラー７０の右側端面と概略一致している。すなわち、右収納棚７５は全体にわたって前方が開放された状態となっている。また、右サイドミラー８０は、メインミラー７０の前面より所定寸法前方に引き出されつつ左方向にスライドしているため、右サイドミラー８０とメインミラー７０とは互いに干渉していない。一方、左サイドミラー６０は右方向にスライドしており、左サイドミラー６０の左側端面はメインミラー７０の左側端面と概略一致している。
【００２３】
図４は、図１において示した右収納棚８５の閉状態から右サイドミラー８０と左サイドミラー６０をそれぞれ回動させた状態を示している。同図において、右サイドミラー８０はメインミラー７０側を略鉛直な回動軸としてメインミラー７０側に回動している。右サイドミラー８０の右端がミラーキャビネット３０から離間しているため、本状態においても右収納棚８５は右前方が開放している。一方、左サイドミラー６０はメインミラー７０側を略鉛直な回動軸として回動し、左収納棚６５の左前方が開放している。
【００２４】
かかる構成により、右サイドミラー８０と左サイドミラー６０をスライドさせることにより、右収納棚８５および左収納棚６５の前方を開閉可能とすることができる。閉状態においては収納棚内部を目隠しすることができるとともに、左サイドミラー６０とメインミラー７０および右サイドミラー８０を全体として大型の鏡面として使用することができる。一方、開状態においては、収納物の出し入れを行うことができる。また、閉状態と開状態との移行には、右サイドミラー８０および左サイドミラー６０をスライドさせることになるので、ミラーを回動させて収納物の出し入れをする場合に比べて、ミラーの大きさを比較的大きくすることも可能となって設計の自由度を向上させることができるとともに、不用意に右サイドミラー８０および左サイドミラー６０が閉まってしまう可能性が低く使いやすい。
【００２５】
また、右サイドミラー８０と左サイドミラー６０とをメインミラー７０側に回動させることができるため、三面鏡として使用することも可能となっている。このとき、右サイドミラー８０および左サイドミラー６０は外側端部がミラーキャビネット３０から離間しているため、右収納棚８５および左収納棚６５の前方側をそれぞれ開放することができる。従って、右サイドミラー８０および左サイドミラー６０を回動させて収納物を出し入れ可能とする構成も併せて採用することができる。
【００２６】
（２）サイドミラーの取り付け構造：
図２において、天板３０ａの上面には上レール４０が配設されており、底板３０ｂの下面には下レール４１が配設されている。上レール４０は、一直線状に形成されたスライド部４０ａが設けられ、同スライド部４０ａはメインミラー７０と右サイドミラー８０および左サイドミラー６０の幅方向に配向している。
【００２７】
上レール４０における右収納棚８５の上方側には、互いに平行に配設された引き出し部４０ｂ，４０ｃが備えられており、同引き出し部４０ｂ，４０ｃは前方端部にてスライド部４０ａに対し略垂直に接続されている。引き出し部４０ｂ，４０ｃは、幅方向に所定の間隔を隔てて互いに平行となっている。同様に、上レール４０における左収納棚８５の上方側にも互いに平行に配設された引き出し部４０ｄ，４０ｅが備えられている。
【００２８】
図５は、引き出し部４０ｂ，４０ｃを上方から見て示している。同図において、スライド部４０ａは、ミラーキャビネット３０の前方端部よりわずかに後方に設置されている。引き出し部４０ｂ，４０ｃは前方端部にてスライド部４０ａと接続されており、引き出し部４０ｃとスライド部４０ａとの接続部がスライド部４０ａの最右端となっている。なお、図示されないスライド部４０ａの最左端は最も左側に位置する引き出し部４０ｅとの接続部となっている。
【００２９】
また、同図において上レール４０の断面を示している。同断面図において、上レール４０は底面および二側面により構成され、略コの字状の断面となる樋状となっている。上レール４０の底面から所定の高さにおいて、側面を内側に向けて延出させることにより一対の凸部４０ｆ１，４０ｆ２が形成されており、この凸部４０ｆ１，４０ｆ２が対向する部分のみ、他の部分より樋幅が細い細幅部４０ｆ３が形成されている。
【００３０】
一方、図２において下レール４１は、スライド部４１ａと引き出し部４１ｂ，４１ｃ，４１ｄ，４１ｅとで構成されており、同下レール４１は上レール４０に対応して同一形状となっている。また、底板３０ｂの下面における下レール４１の取り付け位置も、上レール４０の鉛直下方となっている。ただし、配設方向が上下逆となっているため、下側に開口する樋状となっている。天板３０ａと底板３０ｂはともに水平とされているため、下レール４１のスライド部４１ａと上レール４０のスライド部４０ａは互いに平行となっている。なお、上側に配設される引き出し部４１ｂ，４１ｃ，４１ｄ，４１ｅと下側に配設される引き出し部４１ｂ，４１ｃ，４１ｄ，４１ｅはすべて同形状とされており、長さはメインミラー７０と右サイドミラー８０および左サイドミラー６０の厚みより長く形成されている。
【００３１】
図６は、右サイドミラー８０を背面から見て示している。同図において、右サイドミラー８０の背面側には所定の厚みを有する矩形板状の右支持板８１が備えられており、右端部（正面から見て左端部）に備えられた上下一対の回動ヒンジ８２，８３を介して、同右支持板８１とフレーム部材８４とが連結されている。
【００３２】
フレーム部材８４は外形が右支持板８１および右サイドミラーと略同じにされつつ、中央部に略矩形の窓が形成され枠状となっている。フレーム部材８４の上辺の背面側には上ランナー５０ａ，５０ｂが取り付けられており、同上ランナー５０ａ，５０ｂの上部が上方に突出している。フレーム部材８４の下辺の背面側にも下ランナー５５ａ，５５ｂが取り付けられており、同下ランナー５５ａ，５５ｂの下部が下方に突出している。なお、上ランナー５０ａ，５０ｂおよび下ランナー５５ａ，５５ｂは、全てが略同形状に形成されている。
【００３３】
図７は、右サイドミラー８０を上方から見て示している。同図において、回動ヒンジ８２は、フレーム部材８４にネジ止め固定された固定片８２ａと、右支持板８１に接合された回動片８２ｂとで構成されており、固定片８２ａと回動片８２ｂは鉛直に配向する回動軸８２ｃにより相互に連結されている。同様に、回動ヒンジ８３も固定片８３ａと回動片８３ｂとが鉛直回動軸８３ｃにより回動可能に連結されている。
【００３４】
また、右支持板８１とフレーム部材８４とが互いの左端部（正面から見て右端部）を離間させるように回動可能となっている。右支持板８１とフレーム部材８４の右端部には磁性板８１ａと磁石８４ａがそれぞれ対応させて配設されており、これらの磁力より大きい外力が及ぼされない限り右支持板８１を回動させないようにしている。右支持板８１とフレーム部材８４とを回動可能に連結する回動ヒンジ８２，８３の固定片８２ａ，８３ａと回動片８２ｂ，８３ｂは略Ｌ字状となっている。固定片８２ａ，８３ａの屈曲部の内側は、フレーム部材８４の右端部（正面から見て左端部）に側方および後方から当接している。回動片８２ｂ，８３ｂの屈曲部の内側は、右支持板８１の右端部（正面から見て左端部）に側方および後方から当接している。
【００３５】
固定片８２ａ，８３ａと回動片８２ｂ，８３ｂの前方端部は右サイドミラー８０より前方に突出しており、この先端において回動軸８２ｃ，８３ｃが互いに連結している。そして、フレーム部材８４と右支持板８１が略平行となる状態、すなわちフレーム部材８４と右支持板８１とが閉じた状態においては、回動ヒンジ８２の固定片８２ａと回動片８２ｂは、固定片８２ａを外側にして互いに重なり合う。同様に、回動ヒンジ８３の固定片８３ａと回動片８３ｂは、固定片８３ａを外側にして互いに重なり合うこととなる。
【００３６】
かかる構成により、右支持板８１はフレーム部材８４に対して、鉛直方向の回動軸により回動可能となる。すなわち、ミラーキャビネット３０に取り付けた状態においては、メインミラー７０側を回動軸としてメインミラー７０側に右サイドミラーを回動ることが可能となる。なお、図示しないが同様の機構により左サイドミラー６０も右支持板８１とフレーム部材６４とが回動可能に連結されている。フレーム部材８４は枠状に形成されているため軽く、スライドおよび回動操作時の負荷が少なくて済む。フレーム部材８４の中央部には矩形の窓部が設けられているため、右支持板８１および右サイドミラー８０を回動させれば同窓部を介して右収納棚８５に収納物の出し入れをすることができる。さらに、磁性板８１ａと磁石８４ａが右支持板８１をフレーム部材８４側に拘束するため、右サイドミラー８０をスライドさせようと操作したとき等に不用意に右支持板８１が回動してしまうことを防止することができる。
【００３７】
図８は、上ランナー５０を側方から見て示している。同図において、上ランナー５０ａは側面視略コの字状に形成されており、開口を鉛直下方に配向させている。すなわち、上ランナー５０ａは、走行軸５１と取り付け部５２とが所定の間隔をもって互いに平行に対向しており、アーム部５３がこれらを接合している。取り付け部５２は平面板状となっており、右支持板８１に面接しつつネジ止め穴５２ａ１〜５２ａ３によりネジ止め固定される。従って、アーム部５３は、右支持板８１に対して垂直となり、走行軸５１は右支持板８１に対して略平行となる。略円柱状の走行軸５１の軸方向の一端には上レール４０と係合するための係合部５１ａが設けられている。
【００３８】
また、走行軸５１は軸方向が鉛直となっており、係合部５１ａが下向きに配向されている。係合部５１ａにおける軸方向先端部は、軸方向に所定の高さを有する円柱状の先端部５１ａ１が形成されている。さらに、同先端部５１ａ１の軸方向内側に隣接して環状ベアリング５１ａ２が設けられており、同環状ベアリング５１ａ２は内径が係合部５１ａの軸部に遊挿されることで、走行軸５１に垂直かつ水平方向に回転可能となるように保持されている。下ランナー５５の形状も上ランナー５０と同様のものとなっているが、下向きに開口する下レール４１に係合させるために図７に示した上ランナー５０を上下反転させた態様でフレーム部材８４に取り付けられている。
【００３９】
図９は、右収納棚８５が閉状態となるときのミラーキャビネット３０の断面を左側から見て示している。同図において、上ランナー５０ａの係合部５１ａが上レール４０の引き出し部４０ｂの最後方位置にて、上レール４０に係合している。アーム部５３の奥行き方向の長さは引き出し部４０ｂの後端部からミラーキャビネット３０の前端部までの長さとほぼ同等に形成されているため、このとき取り付け部５２はミラーキャビネット３０の前方端面に近接する。上ランナー５０ａは上部が右サイドミラー８０の上端面から上方に突設されるため、アーム部５３は右サイドミラー８０の上端面より高い位置となっている。さらに、右サイドミラー８０とメインミラー７０の上端は同じ高さとされているため、アーム部５３はメインミラー７０の上端面より高い位置にある。
【００４０】
一方、下ランナー５５ａは、下レール４１の引き出し部４１ｂの最後方位置にて下レール４１に係合している。下ランナー５５ａは、下部が右サイドミラー８０の下端面から下方に突設されるため、アーム部５８は、右サイドミラー８０の下端面より低い位置となっている。さらに、右サイドミラー８０とメインミラー７０の下端は同じ高さとされているため、アーム部５３はメインミラー７０の上端面より低い位置にある。なお、本図の状態において、メインミラー７０および右サイドミラー８０は奥行き位置が一致させられて隣接しているため、右サイドミラー８０は左側方から見るとメインミラー７０に全体が隠されている。
【００４１】
図１０は、右サイドミラー８０がスライドすることにより右収納棚８５が開放するときのミラーキャビネット３０の断面を左側から見て示している。同図においては、上ランナー５０ａは、上レール４０のスライド部４０ａを走査しており、下ランナー５５ａは、下レール４１のスライド部４１ａを走査している。同様に図示されない上ランナー５０ｂは、上レール４０のスライド部４０ａを走査しており、下ランナー５５ｂは、下レール４１のスライド部４１ａを走査している。このとき、図９において示した閉状態より、上ランナー５０ａ，５０ｂと下ランナー５５ａ，５５ｂと右支持板８１および右サイドミラー８０は前方に移動している。すなわち、引き出し部４０ｂ，４０ｃ，４１ｂ，４１ｃの長さ分だけ前方に移動している。
【００４２】
本状態における上レール４０の断面を見ると、先端を鉛直下方に配向させた係合部５１ａは、上方に開口する上レール４０の凸部４０ｆ１，４０ｆ２の上面に環状ベアリング５１ａ２を当接させるまで進入している。先端部５１ａ１は細幅部４０ｆｄ３より奥部に進入するものの、先端部５１ａ１の先端は底面まで到達せず隙間が形成されている。そして、この隙間において、上レール４０をミラーキャビネット３０の天板３０ａに固定するためのネジ４３の頭部が先端部５１ａ１と接触することなく上方に突出している。
【００４３】
すなわち、上レール４０の凸部４０ｆ１，４０ｆ２は、係合部５１ａの先端部５１ａ１の高さより底面から高い位置に形成されている。一方、細幅部４０ｆ３の幅は、先端部５１ａ１の径より大きく、環状ベアリング５１ａ２の外径より小さいとともに、細幅部４０ｆ３以外の樋幅は環状ベアリング５１ａ２の外径より大きく形成されている。同様に他のランナー５０ｂ，５５ａ，５５ｂも他の引き出し部４０ｂ，４１ｂにそれぞれの係合部を係合させている。ただし、下レール４１は樋部を下方に開口させているため、下ランナー５５ａ，５５ｂの係合部は下方から上方に向かって係合している。
【００４４】
かかる構成により、右支持板８１とフレーム部材８４と右サイドミラー８０をミラーキャビネット３０に上吊り状態で支持することが可能となる。右支持板８１とフレーム部材８４と右サイドミラー８０の自重により下方に荷重がかかることとなるが、凸部４０ｆ１，４０ｆ２が当接して環状ベアリング５１ａ２を上向きに支持するため、この荷重に対抗することができる。さらに、環状ベアリング５１ａ２は回転可能であるため摩擦抵抗が軽減されて走行軸５１はスムーズに上レール４０内を移動することができる。また、先端部５１ａ１が接触して摩擦抵抗を発生させることもない。
【００４５】
一方、下ランナー５５ａと下レール４１の係合部位においては、右支持板８１とフレーム部材８４と右サイドミラー８０の自重による荷重に対抗することはないが、走行軸５６の軌道を下レール４１の樋内部に規制することができるため、右サイドミラー８０の姿勢が安定する。すなわち、右サイドミラー８０を鉛直に正立させたままスライド移動させることができる。フレーム部材８４がミラーキャビネット３０を上下から挟み込む態様となるため、フレーム部材８４および右支持板８１が前方に離脱してしまうこともない。むろん、下ランナー５５ａと下レール４１との摩擦抵抗も環状ベアリング５６ａ２の作用により軽減されている。
【００４６】
ここで、図９の閉状態から図１０の開放状態となるまでの課程を図１１において上面図により模式的に示す。なお、走行軸５１および右サイドミラー８０の左端部の軌道を矢印を用いて示している。同図において実線で示す図８の状態においては、フレーム部材８４の背面はミラーキャビネット３０に近接するとともに、右サイドミラー８０の前面はメインミラー７０と奥行き方向の位置を一致させている。この状態から、走行軸５１は引き出し部４０ｂを前方に進行する。すると、右サイドミラー８０と右支持板８１とフレーム部材８４も前方に進行する。このとき、引き出し部４０ｂはメインミラー７０および右サイドミラー８０の幅方向に対して垂直に形成されているため、メインミラー７０の右端部と右サイドミラー８０の幅方向の間隔は縮められることなく一定となっている。引き出し部４０ｂはメインミラー７０の厚みより所定寸法長く形成されているため、走行軸５１がスライド部４０ａの位置までスライドするとフレーム部材８４はメインミラー７０より前方位置に到達する。
【００４７】
フレーム部材８４がメインミラー７０より前方位置に到達すると、右サイドミラー８０と右支持板８１とフレーム部材８４はメインミラー７０に干渉することなく左方向にスライドすることが可能となる。そして、右支持板８１とフレーム部材８４が左サイドにスライドした分だけ右収納棚の右側部分を前方に開放することができる。一方、図１０に示すように上ランナー５０のアーム部５３はメインミラー７０の上端面の十分上方を通過する。同様に、下ランナー５５ａのアーム部５８はメインミラー７０の下端面の十分下方を通過する。従って、走行軸５１がメインミラー７０の背後までスライド部４０ａを走行しても上ランナー５０および下ランナー５５はメインミラー７０に干渉することなく左方向に移動することができる。なお、図１０においては、上ランナー５０ａと引き出し部４０ｂを図に示して説明したが、他の上ランナー５０ｂと引き出し部４０ｃの動作や下ランナー５５ａと引き出し部４１ｂの動作および下ランナー５５ｂと引き出し部４１ｃの動作も同様となっている。
【００４８】
図１２は、右サイドミラー８０が回動する状態を上方から模式的に示している。同図において、右サイドミラー８０および右支持板８１の右端部がフレーム部材８４から離間するように右支持板８１を回動させている。なお、右サイドミラー８０と右支持板８１とフレーム部材８４のスライド位置は、右収納棚８５が閉状態となる位置となっている。従って、右支持板８１を回動させる前ではメインミラー７０の右端部と右サイドミラー８０の左端部が幅方向に隣接しており、これらを互いに干渉させることなく右支持板８１を回動させる必要がある。そこで、本実施形態においては回動ヒンジ８２，８３の回動軸８２ｃ，８３ｃをメインミラー７０および右サイドミラー８０より前方に配置している。このようにすれば、右支持板８１および右サイドミラー８０の左端部をメインミラー７０の右端部から離間させつつ右支持板８１を回動させることが可能となる。
【００４９】
フレーム部材８４は、それぞれ左右に並んで配設された上ランナー５０ａ，５０ｂと下ランナー５５ａ，５５ｂによってミラーキャビネット３０側に支持されている。従って、上ランナー５０ａ，５０ｂがスライド部４０ａに係合し、下ランナー５５ａ，５５ｂがスライド部４１ａに係合する場合においては、フレーム部材８４は正面に配向し鉛直に正立した姿勢を維持したまま幅方向に移動することができる。
【００５０】
上ランナー５０ａ，５０ｂおよび下ランナー５５ａ，５５ｂは全てフレーム部材８４に接合されているため、これらの相対位置は変化しない。従って、上ランナー５０ａ，５０ｂおよび下ランナー５５ａ，５５ｂが引き出し部４０ｂ，４０ｂおよび引き出し部４１ｂ，４１ｂに係合する場合においても、上ランナー５０ａ，５０ｂおよび下ランナー５５ａ，５５ｂの奥行き方向の位置は全て一致する。すなわち、右支持板８１がフレーム部材８４は正面に配向し鉛直に正立した姿勢を維持したまま前方に移動することができる。
【００５１】
（３）
以上説明したように、本発明にかかる洗面化粧台は、サイドミラーをメインミラー側にスライド可能に支持するとともに、メインミラー側を回動軸として回動可能に支持する。従って、サイドミラーの背後に備えられた収納棚を前方に開放させることができる。また、サイドミラーをメインミラー側に回動させることもできるため、二面鏡、三面鏡として使用することができて便利である。また、サイドミラーを回動させて収納物を出し入れする洗面化粧台と比べ、サイドミラーの大きさの制約を受け難くすることができ、設計の自由度を向上させることが可能となる。
【図面の簡単な説明】
【図１】本発明にかかる洗面化粧台の斜視図
【図２】本発明にかかるミラーキャビネットの斜視図
【図３】本発明にかかる洗面化粧台の斜視図
【図４】本発明にかかる洗面化粧台の斜視図
【図５】本発明にかかる上レールの上面図
【図６】本発明にかかる右サイドミラーの背面図
【図７】本発明にかかる右サイドミラーの上面図
【図８】本発明にかかる下ランナーの側面図
【図９】本発明にかかる洗面化粧台を左側方から見た断面図
【図１０】本発明にかかる洗面化粧台を左側方から見た断面図
【図１１】本発明にかかるランナーおよびメインミラーの動作を示す模式図
【図１２】本発明にかかるランナーおよびメインミラーの動作を示す模式図
【符号の説明】
１０…洗面化粧台
１１…ベースキャビネット
３０…ミラーキャビネット
４０…上レール
４１…下レール
４３…ネジ
５０…上ランナー
５１…走行軸
５２…取り付け部
５３…アーム部
５５…下ランナー
６０…左サイドミラー
６５…左収納棚
７０…メインミラー
８０…右サイドミラー
８２，８３…回動ヒンジ
８１…右支持板
８４…フレーム部材
８５…右収納棚
９０…中間棚
【図１】
2004357965.tif 000003
【図２】
2004357965.tif 000004
【図３】
2004357965.tif 000005
【図４】
2004357965.tif 000006
【図５】
2004357965.tif 000007
【図６】
2004357965.tif 000008
【図７】
2004357965.tif 000009
【図８】
2004357965.tif 000010
【図９】
2004357965.tif 000011
【図１０】
2004357965.tif 000012
【図１１】
2004357965.tif 000013
【図１２】
2004357965.tif 000014